(57)【要約】【課題】装置全体の小型を図ると共に部品点数の削減並びにコストの低減を図ることのできる照明装置を提供する【解決手段】光７ａを発する灯体２と、この灯体２を支持する支持板部材３と、前記灯体２の点灯を制御する制御回路４とを備えた照明装置１であって、前記支持板部材３の前記灯体２が設けられた一面側に、前記灯体２から発した光を反射させて該灯体２からの光７ａを拡散させる反射面８を設け、これとは反対側の他面側に制御回路４を設けた。このため、高度な技術を要するレンズカット加工した反射レンズが不要となり、また、装置全体の小型を図ることができると共に、取り付けスペースに制約を受けない。【選択図】  図１
2004299523.tif 000002
【特許請求の範囲】
【請求項１】
光を発する灯体と、この灯体を支持する支持板部材と、前記灯体の点灯を制御する制御回路とを備えた照明装置であって、
前記支持板部材の前記灯体が設けられた一面側に、前記灯体から発した光を反射させて該灯体からの光を拡散させる反射面を設けた
ことを特徴とする照明装置。
【請求項２】
請求項１記載の照明装置であって、
前記支持板部材の他面側に前記制御回路を設けた
ことを特徴とする照明装置。
【請求項３】
請求項１又は請求項２記載の照明装置であって、
前記支持板部材は、前記制御回路を形成する回路基板からなる
ことを特徴とする照明装置。
【請求項４】
請求項２又は請求項３記載の照明装置であって、
前記灯体からの光及び前記反射面に反射した光が透過するレンズカバーの背面側に、前記制御回路を内包する背面パネルを取り付けた
ことを特徴とする照明装置。
【発明の詳細な説明】
【０００１】
【発明の属する技術分野】
本発明は、小型の照明装置に関し、詳細には、車両等における車室内用の照明に用いて好適な照明装置に関する。
【０００２】
【従来の技術】
乗用車のダッシュボードの下部やシート下に設置され、夜間などの乗車時にフロアを照らす小型の照明装置としては、例えば、図３に示すような構造の照明装置がある。
【０００３】
この照明装置１０１は、ＬＥＤや小型電球等の灯体１０２を、専用のソケット１０３を介して支持板部材１０４の一面側に固定させている。そして、この支持板部材１０４の他面側には、電源１０５及びスイッチ１０６と接続された制御回路１０７に接続される外部リード線１０８，１０９が引き出されている。制御回路１０７は、灯体１０２の点灯状態を制御する回路で、例えば消灯後も暫くの間は点灯させておくディレータイマー回路などを有している。
【０００４】
また、支持板部材１０４の一面側には、灯体１０２と支持板部材１０４を覆うように球面状のレンズカバー１１０が取り付けられている。このレンズカバー１１０の内面には、灯体１０２から発した光を、広範囲に拡散させるためのレンズカット部１１１が設けられている。
【０００５】
また、このような照明装置として、特許文献１には、図４に示すように遊技機用の照明構造１１２が提案されている。この照明構造１１２では、発光ダイオード１１３を有した光源ユニット１１４が基板１１５上に固定され、その上部が光源カバー１１６で覆われている。さらに、光源ユニット１１４の上部には、前記光源カバー１１６との間に、発光ダイオード１１３からの光を拡散させるための独立拡散用レンズ１１７が配置されている。
【０００６】
さらに、このような照明装置として、特許文献２には、図５に示すように足元灯や携帯用に用いられる照明器具１１８が提案されている。この照明器具１１８には、ＬＥＤ１１９の前面側に光屈折用の溝部が設けられたパネル１２０が配置され、このパネル１２０によって、ＬＥＤ１１９からの光が拡散されるようになっている。
【０００７】
【特許文献１】
特開２００３−８１４号公報（第３頁及び第４頁、第１図）
【０００８】
【特許文献２】
特開２００２−２３７２０８号公報（第３頁、第１図）
【０００９】
【発明が解決しようとする課題】
ところが、図３に示した照明装置１０１では、灯体１０２からの光を広範囲に拡散するために、拡散用のレンズカットを施したレンズカバー１１０や、パネル、あるいは拡散用のレンズを用いているので、灯体１０２からの光を拡散するための部品と、光源である灯体１０２との２部品構造からなるため、照明装置全体が大型化し、取り付けスペースも充分広く確保する必要がある。
【００１０】
また、この照明装置１０１では、レンズカバー１１０の形状に合わせてその都度、レンズカット部１１１のカッティングを設計するため、レンズカットなど高度な技術が必要となり、レンズカバー１１０の製造コストおよび装置全体のコストアップが避けられない。
【００１１】
さらに、灯体１０２の点灯状態を制御する制御回路１０７を灯体１０２と別に配置しているため、制御回路１０７を配置するスペースを別途必要とし、さらに、灯体１０２と制御回路１０７とを接続するための外部リード線１０８，１０９も必要となる。
【００１２】
特許文献１に記載の照明構造１１２では、灯体内に独立拡散用レンズ１１７を設けているため、通常の灯体に比べて部品価格が高くなり、また組み付け作業も複雑になる。
【００１３】
特許文献２に記載の照明器具１１８では、前記パネル１２０に光を屈折させるための複数の溝部を形成する必要があり、やはり高度な技術を要するレンズカット加工を要するため、製造コストおよび照明器具全体のコストアップになる。
【００１４】
そこで、本発明は、レンズカットした反射レンズを不要とし、且つ灯体の点灯を制御する制御回路を照明本体に組み込んで、装置全体の小型を図ると共に部品点数の削減並びにコストの低減を図ることのできる照明装置を提供することを目的とする。
【００１５】
【課題を解決するための手段】
請求項１記載の発明は、光を発する灯体と、この灯体を支持する支持板部材と、前記灯体の点灯を制御する制御回路とを備えた照明装置であって、前記支持板部材の前記灯体が設けられた一面側に、前記灯体から発した光を反射させて該灯体からの光を拡散させる反射面を設けたことを特徴とする。
【００１６】
請求項２記載の発明は、請求項１記載の照明装置であって、前記支持板部材の他面側に前記制御回路を設けたことを特徴とする。
【００１７】
請求項３記載の発明は、請求項１又は請求項２記載の照明装置であって、前記支持板部材は、前記制御回路を形成する回路基板からなることを特徴とする。
【００１８】
請求項４記載の発明は、請求項２又は請求項３記載の照明装置であって、前記灯体からの光及び前記反射面に反射した光が透過するレンズカバーの背面側に、前記制御回路を内包する背面パネルを取り付けたことを特徴とする。
【００１９】
【発明の実施の形態】
以下、本発明を適用した具体的な実施の形態について図面を参照しながら詳細に説明する。本実施の形態は、例えば乗用車のダッシュボードの下部やシートの下などに設置して夜間などの乗車時にフロアを照らす照明装置に、本発明を適用したものである。
【００２０】
本実施の形態の照明装置１は、図１に示すように、光を発する灯体２と、この灯体２を支持する支持板部材３と、灯体２の点灯を制御する制御回路４と、灯体２を覆って設けられたレンズカバー５と、このレンズカバー５の背面側に取り付けられる背面パネル６とから構成されている。
【００２１】
灯体２は、小型電球またはＬＥＤ（発光ダイオード）などの光源であり、支持板部材３上に設けられたソケットなどに取り付けられる。支持板部材３は、例えばプリント配線板などの回路基板からなる。この支持板部材３の前記灯体２が設けられた一面側には、灯体２から発した光７ａを反射させて該灯体２からの光７ａを拡散させる反射面８が形成されている。
【００２２】
前記反射面８は、例えばメッキを支持板部材３の全体に亘って形成するか、または、金属材料を蒸着することによって形成される。この反射面８は、高度な技術を要するレンズカット加工をすることなく支持板部材３の一面にメッキをすることのみで簡単に形成できる。このため、本実施の形態の照明装置１では、灯体２から発する光７ａを拡散させるための専用のレンズカットされた反射レンズが不要になる。
【００２３】
制御回路４は、反射面８が形成された一面側とは反対側の前記支持板部材３の他面側（裏面側）に形成されている。この制御回路４は、灯体２の消灯後も暫くの間は点灯させておくことができるディレイタイマー回路またはＬＥＤ制御回路からなる。図２には、一般的なディレイタイマー回路を示す。このディレイタイマー回路（制御回路４）には、電源９、スイッチ１０及びアース１２が接続されており、このスイッチ１０のオン・オフによって灯体２の点灯状態が制御される。
【００２４】
また、この支持板部材３の他面側には、前記制御回路４を構成するための電気（電子）部品１１が実装されている。この制御回路４は、例えばプリント配線板上に導体パターンを形成して回路形成される。このため、本実施の形態の照明装置１では、制御回路４を形成する際に、リード線による電気部品同士を接続するといった面倒な配線作業が不要となる。
【００２５】
レンズカバー５は、灯体２を設けた支持板部材３を内部に収容させるに足る大きさのレンズで、灯体２から発した光７ａ及び前記反射面８に反射した光７ｂを透過させる。
【００２６】
背面パネル６は、支持板部材３の他面側に形成された制御回路４及び電気部品１１を内包するように、前記レンズカバー５の背面側に取り付けられる。この背面パネル６には、制御回路４と接続される電源９、スイッチ１０及びアース１２と接続させるための開口部１３が形成されている。この開口部１３を通して、前記制御回路４と電源９、スイッチ１０及びアース１２とをそれぞれ接続するリード線１４ａ，１４ｂ，１４ｃが、前記背面パネル６から外方へと引き出されている。
【００２７】
以上のようにして構成された照明装置１においては、回路基板である支持板部材３の一面側に反射面８を、他面側に制御回路４を形成しているため、レンズカット加工した反射レンズを別途用意する必要が無く、また、反射面８及び制御回路４が支持板部材３に一体化されるので、部品点数の削減を図ることができると共に照明装置１全体の小型化も図れる。したがって、本実施の形態によれば、装置全体の小型が実現できる上、部品点数の削減による大幅なコストの低減が図れる。
【００２８】
また、本実施の形態の照明装置１によれば、灯体２及びこの灯体２の点灯を制御する制御回路４を一体化した支持板部材３を内部に収容するレンズカバー５と背面パネル６とのモジュール化によって、大幅な小型化が図れることにより、この照明装置１の取り付けスペースを小さなものとすることができる。したがって、取り付けスペースに制約を受けることなく、今まで取り付けることができなかった場所にも本実施の形態の照明装置１を取り付けることが可能となる。
【００２９】
以上、本発明を適用した具体的な実施の形態について説明したが、本発明は、上述の実施の形態に制限されることなく種々の変更が可能である。例えば、本発明の照明装置１は、乗用車のダッシュボードの下部やシートの下などに設置して夜間などの乗車時にフロアを照らす照明装置の例として説明したが、乗用車に限らず家屋などの室内または屋外用の照明器具としても本発明を適用することができる。
【００３０】
【発明の効果】
請求項１記載の発明によれば、灯体が設けられる支持板部材の一面側に、灯体から発した光を反射させて拡散させる反射面を設けたので、高度な技術を必要とするレンズカット加工を施した反射レンズが不要となり、また、支持板部材の一面を反射面として利用することにより部品点数の削減が図れ、装置全体の小型化及びコストの大幅な低減が実現できる。
【００３１】
請求項２記載の発明によれば、支持板部材の他面側に灯体の点灯を制御する制御回路を設けたので、照明装置のより一層の小型化が図れると共に、当該照明装置の取り付けスペースを小さくすることができる。
【００３２】
請求項３記載の発明によれば、一面側に灯体を設け且つ他面側に制御回路を形成した支持板部材を、回路基板としたので、灯体と制御回路を接続するリード線などを回路基板自体にプリント形成でき、面倒な配線の手間を省くことができる。
【００３３】
請求項４記載の発明によれば、レンズカバーの背面側に、制御回路を内包する背面パネルを取り付けたので、灯体と制御回路を有した支持板部材がこの背面パネルによって覆われた一つのユニット部品から構成されるため、照明装置のモジュール化を実現できる。
【図面の簡単な説明】
【図１】図１は、本実施の形態の照明装置の断面図である。
【図２】図２は、一般的なディレイタイマー回路図である。
【図３】図３は、従来の照明装置の一例を示す断面図である。
【図４】図４は、従来の遊技機用の照明構造を示す断面図である。
【図５】図５は、従来の照明器具を示す断面図である。
【符号の説明】
１…照明装置
２…灯体
３…支持板部材
４…制御回路
５…レンズカバー
６…背面パネル
７ａ…光
７ｂ…反射面で反射した光
８…反射面
【図１】
2004299523.tif 000003
【図２】
2004299523.tif 000004
【図３】
2004299523.tif 000005
【図４】
2004299523.tif 000006
【図５】
2004299523.tif 000007